(57)【要約】【課題】簡単な構成で高い防犯効果を得ることができる留守監視装置を提供すること。【解決手段】本発明の留守監視装置１では、制御部２は、呼出チャイム１６の操作と電話の着呼を検出し、検出した呼出チャイム１６の操作回数と前記電話の着呼回数とをそれぞれ計数し、設定時間２２内に計数した前記操作回数と前記着呼回数とがともに１以上で、且つ、前記操作回数及び前記着呼回数の合計が設定回数２３を超えた場合に所定の外部通信端末１４に異常発生を通報する。【選択図】      図１
2006025185.tif 000002
【特許請求の範囲】
【請求項１】
呼出チャイムの操作を検出する第１検出手段と、電話の着呼を検出する第２検出手段と、前記第１検出手段が検出した前記呼出チャイムの操作回数と前記第２検出手段が検出した前記電話の着呼回数とをそれぞれ計数する計数手段と、該計数手段が所定時間内に計数した前記操作回数と前記着呼回数とがともに１以上で、且つ、前記操作回数及び前記着呼回数の合計が設定回数を超えた場合に所定の外部通信端末に異常発生を通報する通報手段と、を備えることを特徴とする留守監視装置。
【請求項２】
電話の着呼を検出する検出手段と、該検出手段が検出した前記電話の着呼が所定時間帯にあった場合にその電話の着呼があった日数を計数する計数手段と、該計数手段が前記日数を所定日数連続して計数した場合、又は、該計数手段が計数した前記日数が所定期間内に設定日数を超えた場合に所定の外部通信端末に異常発生を通報する通報手段と、を備えることを特徴とする留守監視装置。
【請求項３】
呼出チャイムの操作を検出する検出手段と、前記検出手段が検出した前記呼出チャイムの操作回数を計数する計数手段と、該計数手段が所定時間内に計数した前記操作回数が設定回数を超えた場合に所定の外部通信端末に異常発生を通報する通報手段と、を備えることを特徴とする留守監視装置。
【請求項４】
呼出チャイムの操作を検出する検出手段と、玄関扉が開いたことを検知する検知手段と、前記検出手段が前記呼出チャイムの操作を検出してから所定時間内に前記検知手段が前記玄関扉が開いたことを検知した場合に所定の外部通信端末に異常発生を通報する通報手段と、を備えることを特徴とする留守監視装置。
【請求項５】
電話の着呼を検出する検出手段と、玄関扉が開いたことを検知する検知手段と、前記検出手段が前記電話の着呼を検出してから所定時間内に前記検知手段が前記玄関扉が開いたことを検知した場合に所定の外部通信端末に異常発生を通報する通報手段と、を備えることを特徴とする留守監視装置。
【請求項６】
登録された電話番号を記憶する記憶手段を備え、
前記計数手段は、前記第２検出手段が検出した前記電話の着呼が、前記記憶手段が記憶していない電話番号からの着呼又は発番非通知の着呼のいずれかの着呼である場合、前記記憶手段が記憶していない電話番号からの着呼である場合、又は、発番非通知の着呼である場合に前記着呼回数を計数することを特徴とする請求項１記載の留守監視装置。
【請求項７】
登録された電話番号を記憶する記憶手段を備え、
前記計数手段は、前記所定時間帯に、前記記憶手段が記憶していない電話番号からの着呼又は発番非通知の着呼のいずれかの着呼があった場合、前記記憶手段が記憶していない電話番号からの着呼があった場合、又は、発番非通知の着呼があった場合にその電話の着呼があった前記日数を計数することを特徴とする請求項２記載の留守監視装置。
【請求項８】
前記通報手段は、前記外部通信端末に前記異常発生を通報するとともに、前記検出手段が検出した前記呼出チャイムの操作に連動して前記呼出チャイム周辺の画像データを撮影する撮影装置が撮影した前記画像データを送信することを特徴とする請求項１、３又は４記載の留守監視装置。
【請求項９】
前記通報手段は、前記外部通信端末に前記異常発生を通報するとともに、前記検知手段が前記玄関扉が開いたことを検知した際に前記玄関扉周辺の画像データを撮影する撮影装置が撮影した前記画像データを送信することを特徴とする請求項４又は５記載の留守監視装置。
【発明の詳細な説明】
【技術分野】
【０００１】
本発明は、家人（以下、「ユーザ」ともいう）の留守中に不審者が家へ侵入しようとするのを監視する留守監視装置に関する。
【背景技術】
【０００２】
近年、一般家庭には、インターホンシステムが広く普及している。このインターホンシステムでは、訪問者が玄関や門扉付近に設置されたインターホン子機の呼出チャイムを操作すると、室内に設置されたインターホン親機のスピーカから所定の音が鳴動され、鳴動された音によって訪問者の来訪を知った家人は、インターホン親機で応答してインターホン子機側にいる訪問者と通話することができ、訪問者が誰であるか、またその訪問の用件は何であるか等を確認することができる。
【０００３】
しかし、従来のインターホンシステムでは、家人が留守である場合、家人からの応答がなく、家人の不在が訪問者に知られるという欠点があった。家人の留守中に空き巣に及ぼうとする不審者は、この欠点を利用し、標的とする家への侵入を試みる前に、インターホン子機の呼出チャイムを操作して、家人からの応答があるか否かにより家人の不在を確かめることがあり、防犯上大きな問題となっている。かかる事情を考慮して、留守中にインターホン子機の呼出チャイムが操作された場合に、ユーザと警備契約を締結した警備会社に自動発呼する留守監視装置が特許文献１に開示されている。
【０００４】
この留守監視装置は、公衆交換電話網（ＰＳＴＮ：Public Switched Telephone Network）を介して所定の警備会社の電話番号に自動的に発呼する自動発呼手段を備えており、インターホン子機における呼出チャイムの操作を検知した場合に、所定の警備会社に発呼してインターホン子機と警備会社にある電話機等の通信端末機とを公衆交換電話網を介して通信可能に接続するものである。この留守監視装置では、ユーザの留守中にインターホン子機の呼出チャイムが操作された場合、警備会社の警備員が通信端末機を用いてインターホン子機に対して応答を行い、訪問者からの伝言メッセージを受けたり、通話内容を録音することができる。
【０００５】
【特許文献１】特開平０８−２９３９２６号公報
【発明の開示】
【発明が解決しようとする課題】
【０００６】
しかしながら、上記の特許文献１の留守監視装置では、警備会社と契約する必要があり、また、上記のようにインターホン子機と警備会社の通信端末機とが接続された状態で警備員が通信端末機から応答するシステムであるため、構成が複雑であり、コストがかかるという問題点があった。また、留守中に呼出チャイムが操作される度にインターホン子機と警備会社の通信端末とが接続されるため、結局は警備会社が応答した場合家人が不在であることを伝えることになり、あまり高い防犯効果を期待できない。
【０００７】
本発明は、上記の課題に鑑みてなされたものであり、簡単な構成で高い防犯効果を得ることができる留守監視装置を提供することを目的とする。
【課題を解決するための手段】
【０００８】
上記目的を達成するために、請求項１記載の留守監視装置は、呼出チャイムの操作を検出する第１検出手段と、電話の着呼を検出する第２検出手段と、前記第１検出手段が検出した前記呼出チャイムの操作回数と前記第２検出手段が検出した前記電話の着呼回数とをそれぞれ計数する計数手段と、該計数手段が所定時間内に計数した前記操作回数と前記着呼回数とがともに１以上で、且つ、前記操作回数及び前記着呼回数の合計が設定回数を超えた場合に所定の外部通信端末に異常発生を通報する通報手段と、を備えることを特徴としている。
【０００９】
請求項２記載の留守監視装置は、電話の着呼を検出する検出手段と、該検出手段が検出した前記電話の着呼が所定時間帯にあった場合にその電話の着呼があった日数を計数する計数手段と、該計数手段が前記日数を所定日数連続して計数した場合、又は、該計数手段が計数した前記日数が所定期間内に設定日数を超えた場合に所定の外部通信端末に異常発生を通報する通報手段と、を備えることを特徴としている。
【００１０】
請求項３記載の留守監視装置は、呼出チャイムの操作を検出する検出手段と、前記検出手段が検出した前記呼出チャイムの操作回数を計数する計数手段と、該計数手段が所定時間内に計数した前記操作回数が設定回数を超えた場合に所定の外部通信端末に異常発生を通報する通報手段と、を備えることを特徴としている。
【００１１】
請求項４記載の留守監視装置は、呼出チャイムの操作を検出する検出手段と、玄関扉が開いたことを検知する検知手段と、前記検出手段が前記呼出チャイムの操作を検出してから所定時間内に前記検知手段が前記玄関扉が開いたことを検知した場合に所定の外部通信端末に異常発生を通報する通報手段と、を備えることを特徴としている。
【００１２】
請求項５記載の留守監視装置は、電話の着呼を検出する検出手段と、玄関扉が開いたことを検知する検知手段と、前記検出手段が前記電話の着呼を検出してから所定時間内に前記検知手段が前記玄関扉が開いたことを検知した場合に所定の外部通信端末に異常発生を通報する通報手段と、を備えることを特徴としている。
【００１３】
請求項６記載の留守監視装置は、請求項１記載の留守監視装置において、登録された電話番号を記憶する記憶手段を備え、計数手段は、前記第２検出手段が検出した前記電話の着呼が、前記記憶手段が記憶していない電話番号からの着呼又は発番非通知の着呼のいずれかの着呼である場合、前記記憶手段が記憶していない電話番号からの着呼である場合、又は、発番非通知の着呼である場合に前記着呼回数を計数することを特徴としている。
【００１４】
請求項７記載の留守監視装置は、請求項２記載の留守監視装置において、登録された電話番号を記憶する記憶手段を備え、前記計数手段は、前記所定時間帯に、前記記憶手段が記憶していない電話番号からの着呼又は発番非通知の着呼のいずれかの着呼があった場合、前記記憶手段が記憶していない電話番号からの着呼があった場合、又は、発番非通知の着呼があった場合にその電話の着呼があった前記日数を計数することを特徴としている。
【００１５】
請求項８記載の留守監視装置は、請求項１、３又は４記載の留守監視装置において、前記通報手段は、前記外部通信端末に前記異常発生を通報するとともに、前記検出手段が検出した前記呼出チャイムの操作に連動して前記呼出チャイム周辺の画像データを撮影する撮影装置が撮影した前記画像データを送信することを特徴としている。
【００１６】
請求項９記載の留守監視装置は、請求項４又は５記載の留守監視装置において、前記通報手段は、前記外部通信端末に前記異常発生を通報するとともに、前記検知手段が前記玄関扉が開いたことを検知した際に前記玄関扉周辺の画像データを撮影する撮影装置が撮影した前記画像データを送信することを特徴としている。
【発明の効果】
【００１７】
本発明の請求項１の留守監視装置によれば、検出した呼出チャイムの操作回数又は電話の着呼回数を計数して、所定時間内に計数した前記操作回数と前記着呼回数とがともに１以上で、且つ、前記操作回数及び前記着呼回数の合計が設定回数を超えた場合に所定の外部通信端末に異常発生を通報するため、前記外部通信端末を所持するユーザは、留守中に不審者が呼出チャイムを操作したり電話をかけることにより家人の不在を複数回に渡って確認している可能性があることを異常発生の通報により知ることができ、簡単な構成で高い防犯効果を得ることができる。また、所定条件のもとに異常発生が通報されるため、ユーザは、呼出チャイムが操作される度、又は、電話の着呼がある度に通報を受けて煩わされることがない。
【００１８】
請求項２の留守監視装置によれば、電話の着呼が設定時間帯にあった日数を計数し、前記日数を所定日数連続して計数した場合、又は、計数した前記日数が所定期間内に設定日数を超えた場合に所定の外部通信端末に異常発生を通報するため、前記外部通信端末を所持するユーザは、留守中に不審者が電話をかけることにより家人が不在の時間帯を数日間に渡って確認してしている可能性があることを異常発生の通報により知ることができ、簡単な構成で高い防犯効果を得ることができる。
【００１９】
請求項３の留守監視装置によれば、検出した呼出チャイムの操作回数を計数して、所定時間内に計数した前記操作回数が設定回数を超えた場合に所定の外部通信端末に異常発生を通報するため、前記外部通信端末を所持するユーザは、留守中に不審者が呼出チャイムを操作することにより家人の不在を複数回に渡って確認している可能性があることを異常発生の通報により知ることができ、簡単な構成で高い防犯効果を得ることができる。また、所定条件のもとに異常発生が通報されるため、ユーザは、呼出チャイムが操作される度に通報を受けて煩わされることがない。
【００２０】
請求項４の留守監視装置によれば、呼出チャイムの操作を検出してから所定時間内に玄関扉が開いたことを検知した場合に所定の外部通信端末に異常発生を通報するため、前記外部通信端末を所持するユーザは、留守中に家人以外の不審者が呼出チャイムを操作して家人の不在を確認した後に玄関扉を開けた可能性があることを異常発生の通報により知ることができ、簡単な構成で高い防犯効果を得ることができる。また、所定条件のもとに異常発生が通報されるため、ユーザは、呼出チャイムが操作されるたびに通報を受けて煩わされることがない。
【００２１】
請求項５の留守監視装置によれば、電話の着呼を検出してから所定時間内に玄関扉が開いたことを検知した場合に所定の外部通信端末に異常発生を通報するため、外部通信端末を所持するユーザは、留守中に不審者が電話をかけて家人の不在を確認した後に玄関扉を開けた可能性があることを異常発生の通報により知ることができ、簡単な構成で高い防犯効果を得ることができる。
【００２２】
請求項６の留守監視装置によれば、請求項１記載の留守監視装置の効果に加えて、検出した電話の着呼のうち、登録されていない電話番号からの着呼や発番非通知の着呼の着呼回数のみを計数することができ、電話番号が登録された知人等からの電話の着呼回数を計数することによる誤通報を防止することができる。
【００２３】
請求項７の留守監視装置によれば、請求項２記載の留守監視装置の効果に加えて、検出した電話の着呼のうち、登録されていない電話番号からの着呼や発番非通知の着呼が所定時間帯にあった場合にのみその電話の着呼があった日数を計数することができ、電話番号が登録された知人等からの電話の着呼が設定時間帯にあった日数を計数することによる誤通報を防止することができる。
【００２４】
請求項８の留守監視装置によれば、請求項１、３又は４記載の留守監視装置の効果に加えて、所定の外部通信端末に異常発生を通報するとともに、呼出チャイムの操作に連動して撮影装置が呼出チャイム周辺を撮影した画像データを送信するため、前記外部通信端末を所持するユーザは、前記外部通信端末に表示された前記呼出チャイム周辺の画像を見て呼出チャイムを操作した人物や呼出チャイム周辺の状況を確認することができる。
【００２５】
請求項９の留守監視装置によれば、請求項４又は５記載の留守監視装置の効果に加えて、所定の外部通信端末に異常発生を通報するとともに、玄関扉が開いたことを検知した際に撮影装置が玄関扉周辺を撮影した画像データを送信するため、前記外部通信端末を所持するユーザは、前記外部通信端末に表示された前記玄関扉周辺の画像を見て玄関扉を開けた人物や玄関扉周辺の状況を確認することができる。
【発明を実施するための最良の形態】
【００２６】
以下、本発明の第１実施形態に係る留守監視装置について図面に基づき説明する。図１は、本実施形態に係る留守監視装置１の構成例を示したブロック図である。この留守監視装置１には、設定モードとして在宅モードと外出モードがあり、在宅モード時はインターホン親機又は電話機として機能し、外出モード時は家人（ユーザ）の留守中に不審者が家に侵入しようとするのを監視して異常があったと判断した場合にその旨を通報する防犯装置として機能する。
【００２７】
留守監視装置１は、図１に示すように、制御部（ＭＰＵ：Microprocessing Unit）２、ＲＯＭ（Read Only Memory）３、インターホン Ｉ／Ｆ（Interface）４、通信部５、ＲＡＭ（Random Access Memory）６、ＬＡＮ Ｉ／Ｆ（Local Area Network Interface）７、画像メモリ８、ハンドセット９、操作部１０、及び表示部１１を備えており、各部２乃至１１は、バス１２によって通信可能に接続されている。留守監視装置１には、玄関扉付近に設置されたインターホン子機１３がインターホンＩ／Ｆ４を介して接続されている。また、留守監視装置１とユーザが所持している、例えば携帯電話等の外部通信端末１４は、公衆交換電話網１５を介して通信可能である。
【００２８】
留守監視装置１に接続されたインターホン子機１３は、呼出チャイム１６、マイク１７、及びスピーカ１８を備えている。呼出チャイム１６は、訪問者の来訪をユーザに報知するためのものであり、訪問者がこの呼出チャイム１６を操作すると、制御部２は、呼出チャイム１６の操作を検出し、後述する表示部１１のスピーカ（不図示）から音を鳴動させる。したがって、制御部２は、呼出チャイム１６の操作を検出する検出手段（第１検出手段）として機能する。マイク１７は、留守監視装置１が在宅モード時にインターホン親機として機能する場合に、訪問者が呼出チャイム１６を操作し留守監視装置１で応答したユーザに対して訪問者が発した音声を集音する。集音した音声は、ハンドセット１０のレシーバ（受話部）から出力される。スピーカ１８は、ユーザがハンドセット１０のトランスミッタ（送話部）に対して発して集音された音声を出力する。
【００２９】
制御部２は、ＲＯＭ３に格納された制御プログラムに従って、留守監視装置１を構成する各部を制御する。ＲＯＭ３は、制御部２によって留守監視装置１の各部が制御されるための制御プログラムを格納しており、このＲＯＭ３の制御プログラムは、書き換え可能である。
【００３０】
インターホンＩ／Ｆ４は、インターホン子機１３と留守監視装置１とを通信可能に接続するインターフェースであり、制御部２は、このインターホンＩ／Ｆ４を介してインターホン子機１３の呼出チャイム１６の操作を検出し、マイク１７で集音された音声をハンドセット１０のレシーバから出力し、ハンドセット１０のトランスミッタが集音した音声をスピーカ１８から出力させる。
【００３１】
通信部５は、モデム１９及びＮＣＵ（Network Control Unit）２０を備えている。モデム１９は、例えばＩＴＵ−Ｔ（国際電気通信連合電気通信標準化部門）の勧告Ｖ．３４規格又はこれと同様のものに従った送受信データの変調及び復調を行うものである。ＮＣＵ２０は、電話回線を制御して電話をかけたり、切ったりする回線網制御装置であり、公衆交換電話網１５に接続されている。制御部２は、この通信部５を介して外部からの電話の着呼を検出する検出手段（第２検出手段）として機能する。また、制御部２は、外出モード時に所定の条件が満たされた場合に外部通信端末１４に通信部５を介して異常発生を通報する通報手段として機能する。さらに、制御部２は、検出した前記呼出チャイム１６の操作回数と電話の着呼回数とをそれぞれ計数する計数手段としても機能する。
【００３２】
ＲＡＭ６は、制御部２の主メモリ、ワークエリア等として機能するものであり、モード情報２１、設定時間（所定時間）２２、設定回数２３、登録番号情報２４、及び通報先情報２５を格納している。モード情報２１は、留守監視装置１の現在の設定モードが在宅モードと外出モードのどちらであるかを示すものであり、ユーザは、操作部１０からのみならず、外部通信端末１４からも所定動作に基づいて留守監視装置１に所定のコマンドを送信することによって、このモード情報２１を変更することができる。設定時間２２及び設定回数２３は、ユーザによって操作部１０から予め設定されるものであり、適宜ユーザにより変更される。登録番号情報２４は、例えば、ユーザによって操作部１０から登録された電話番号とその相手先名等を対応づけて記憶したものであり、ユーザの操作部１０からの所定操作により適宜変更される。したがって、ＲＡＭ６は、登録された電話番号を記憶する記憶手段として機能する。通報先情報２５は、異常発生の通報先である外部通信端末１４の電話番号、又はメールアドレスであり、ユーザによって予め登録されている。
【００３３】
ＬＡＮ Ｉ／Ｆ７は、ＬＡＮ（Local Area Network）２６と留守監視装置１とを通信可能に接続するインターフェースである。ＬＡＮ２６には、ＣＣＤカメラ（撮影装置）２７が設置されている。このＣＣＤカメラ２７は、ここでは呼出チャイム１６の操作に連動して呼出チャイム１６周辺の動画又は静止画を撮影するものであり、呼出チャイム１６を操作した人物を撮影できるように、呼出チャイム１６周辺を撮影できる位置に設置されている。ＣＣＤカメラ２７が撮影した画像データは、ＣＣＤカメラ２７において必要な画像処理が行われ、例えばＪＰＥＧ（Joint Photographic Experts Group）形式の画像データとして画像メモリ８に格納される。なお、ＣＣＤカメラ２７は、呼出チャイム１６を操作した人物を撮影できれば、インターホン子機１３に内蔵されていてもよい。また、撮影した画像データのフォーマットは、ＧＩＦ（Graphics Interchange Format）形式やＴＩＦＦ（Tagged Image File Format）形式等でもよい。
【００３４】
また、ＬＡＮ２６には、クライアントＰＣ２８が設置されており、クライアントＰＣ２８から留守監視装置１のＲＡＭ６に記憶されている各種設定や情報を変更したり、画像メモリ８に格納された画像データをクライアントＰＣ２８に保存することも可能である。また、ＬＡＮ２６には、メールサーバ２９、ルータ３０も設置されており、制御部２は、通信部５からの異常発生を通報する処理の代わりにメールサーバ２９及びルータ３０を介して電子メールを受信可能な外部通信端末１４に異常発生を通報する電子メールを送信することも可能である。
【００３５】
画像メモリ８は、ＣＣＤカメラ２７が撮影した画像データを格納する。ハンドセット９は、レシーバ及びトランスミッタを備えており、留守監視装置１が在宅モード時にインターホン親機又は電話機として機能する場合に用いられるものである。留守監視装置１がインターホン親機として機能する場合は、訪問者が呼出チャイム１６を操作した際にユーザが訪問者と通話するために用いられる。一方、留守監視装置１が電話機として機能する場合は、ユーザが公衆交換電話網１５を介して接続している通信端末側の相手と通話するために用いられる。
【００３６】
操作部１０は、留守監視装置１の各種設定・登録を行うためのカーソルキー等、表示部１１と連動した各種操作キーを備えており、ユーザによる各種の入力操作は、この操作部１０において行われる。表示部１１は、液晶表示装置（ＬＣＤ：Liquid Crystal Display）、ＬＥＤランプ及びスピーカ等からなり、留守監視装置１の現在のモード等が表示されたり、インターホン子機１３の呼出チャイム１６が操作されるとスピーカから音が鳴動される。また、表示部１１の液晶表示装置をタッチパネル式のものとし、操作部１０の代わりに表示部１１から留守監視装置１の各種設定・登録を行うようにしてもよい。
【００３７】
以上のように構成された留守監視装置１において、外出モードに設定された状態で呼出チャイム１６の操作又は電話の着呼を検出した場合に行われる処理動作について、図２に示すフローチャートに基づいて説明する。なお、この留守監視装置１の各部の処理動作は、ＲＯＭ３に格納されている制御プログラムに基づいて制御部２が発行する制御命令に従って行われる。
【００３８】
留守監視装置１が在宅モードから外出モードに設定されると、制御部２は、呼出チャイム１６の操作と電話の着呼の監視を開始し、呼出チャイム１６の操作又は電話の着呼を検出したか否かを判断する（Ｓ１）。呼出チャイム１６の操作又は電話の着呼を検出したと判断した場合（Ｓ１：ＹＥＳ）、時間の計測を開始し（Ｓ２）、検出した呼出チャイム１６の操作の回数又は電話の着呼の回数、すなわち操作回数又は着呼回数を計数する（Ｓ３）。
【００３９】
この際、検出した電話の着呼回数をすべて計数するか否かは、ユーザにより予め設定されており、検出した電話の着呼回数をすべて計数しない場合は、以下の３つの場合のうちのいずれかの場合に着呼回数を計数するように設定される。すなわち、検出した電話の着呼が、登録番号情報２４に登録されてない（ＲＡＭ６が記憶していない）電話番号からの着呼又は電話番号を通知しない発番非通知の着呼のいずれかの着呼である場合、登録番号情報２４に登録されてない電話番号からの着呼である場合、又は、発番非通知の着呼である場合に着呼回数を計数するように設定される。検出した電話の着呼が、このユーザの設定に基く着呼回数を計数する条件にあてはまらなかった場合は、着呼回数を計数せずにＳ１以降の処理をおこなう。
【００４０】
次いで、制御部２は、計数した操作回数と着呼回数とがともに１以上か否かを判断する（Ｓ４）。操作回数と着呼回数とがともに１以上ではないと判断した場合（Ｓ４：ＮＯ）、計測した時間が設定時間２２を超えたか否かを判断する（Ｓ５）。計測した時間が設定時間２２を超えたと判断した場合（Ｓ５：ＹＥＳ）、計測した時間をリセットし（Ｓ６）、処理を終了する。一方、計測した時間が設定時間２２を超えていないと判断した場合は（Ｓ５：ＮＯ）、呼出チャイム１６の操作又は電話の着呼を検出したか否かを判断する（Ｓ７）。呼出チャイム１６の操作又は電話の着呼を検出したと判断した場合（Ｓ７：ＹＥＳ）、Ｓ３以降の処理を行う。一方、呼出チャイム１６の操作又は電話の着呼を検出しなかったと判断した場合は（Ｓ７：ＮＯ）、Ｓ５以降の処理を行う。
【００４１】
Ｓ４において、制御部２は、操作回数と着呼回数とがともに１以上であると判断した場合は（Ｓ４：ＹＥＳ）、操作回数及び着呼回数の合計が設定回数２３を超えたか否かを判断する（Ｓ８）。操作回数及び着呼回数の合計が設定回数２３を超えていないと判断した場合（Ｓ８：ＮＯ）、Ｓ５以降の処理を行う。一方、操作回数及び着呼回数の合計が設定回数２３を超えたと判断した場合は（Ｓ８：ＹＥＳ）、通報先情報２５に登録されている外部通信端末１４に異常発生を通報するとともに、呼出チャイム１６の操作に連動してＣＣＤカメラ２７が撮影した呼出チャイム１６周辺の画像データを送信する（Ｓ９）。この際、操作回数分すべての画像データを送信するか、又は、いずれか１回、例えば最後に呼出チャイム１６が操作された際に撮影した画像データのみを送信するかは、ユーザによって予め設定されている。操作回数分すべての画像データを送信する場合で、操作回数が多く一度に全ての画像データを送信できないときは、複数回に分けて画像データを送信する。そして、計測した時間をリセットし（Ｓ６）、処理を終了する。
【００４２】
以上の説明から明らかなように、本発明の第１実施形態に係る留守監視装置１によれば、外部通信端末１４を所持するユーザは、留守中に不審者が呼出チャイム１６を操作したり電話をかけることにより家人の不在を複数回に渡って確認している可能性があることを異常発生の通報により知ることができ、外部通信端末１４に表示された呼出チャイム１６周辺の画像より呼出チャイム１６を操作した人物や呼出チャイム１６周辺の状況を確認することができる。また、登録されていない電話番号からの着呼や発番非通知の着呼の着呼回数のみを計数することができ、電話番号が登録された知人等からの電話の着呼回数を計数することによる誤通報を防止することができる。
【００４３】
なお、本発明は上記実施形態に限定されるものではなく、本発明の要旨の範囲内で種々の変形実施が可能である。例えば、この第１実施形態では、Ｓ９において、外部通信端末１４に異常発生を通報するとともに、呼出チャイム１６の操作に連動してＣＣＤカメラ２７が撮影した呼出チャイム１６周辺の画像データを送信したが、外部通信端末１４に画像データを表示する機能がない場合等は、ユーザの設定に基づいて前記画像データを送信せずに外部通信端末１４に異常発生を通報するのみとしてもよい。
【００４４】
次に、本発明の第２実施形態に係る留守監視装置について図面に基づき説明する。図３は、本実施形態に係る留守監視装置１Ａの構成例を示したブロック図である。この留守監視装置１Ａには、設定モードとして在宅モードと外出モードがあり、在宅モード時は電話機として機能し、外出モード時は家人（ユーザ）の留守中に不審者が家に侵入しようとするのを監視して異常があったと判断した場合にその旨を通報する防犯装置として機能する。なお、図１に示した第１実施形態に係る留守監視装置１と同一の構成のものには、同一番号を付けてその説明を省略し、主に相違点について以下で説明する。
【００４５】
本実施形態の留守監視装置１Ａは、図３に示すように、図１に示す第１実施形態の留守監視装置１と比較すると、インターホンＩ／Ｆ４がなく、インターホン子機１３が接続されておらず、また、ＬＡＮ２６にＣＣＤカメラ２７が設置されていない。また、ＲＡＭ６に設定時間２２及び設定回数２３を格納する代わりに、設定時間帯（所定時間帯）３１、連続日数（所定日数）３２、設定期間（所定期間）３３、及び設定日数３４を格納している。以下、第１実施形態の留守監視装置１との相違点であるＲＡＭ６に格納された設定時間帯３１、連続日数３２、設定期間３３、及び設定日数３４について説明する。
【００４６】
設定時間帯３１は、１日の何時何分から何時何分までの時間帯を監視するというように監視開始時刻と監視終了時刻が設定されたものである。連続日数３２は、検出した電話の着呼が設定時間帯３１にあった日数を連続して計数した場合に異常発生を通報するか否かの基準となる日数である。設定期間３３は、何日間、又は、何月何日から何月何日までというように設定される。設定日数３４は、検出した電話の着呼が設定時間帯３１にあった日が設定期間３３内にあった場合に異常発生を通報するか否かの基準となる日数である。上記した設定時間帯３１、連続日数３２、設定期間３３及び設定日数３４は、ユーザによって操作部１０から予め設定されるものであり、適宜ユーザにより変更される。
【００４７】
以上のように構成された留守監視装置１Ａにおいて、外出モードに設定された状態で設定時間帯３１に行われる処理動作について、図４に示すフローチャートに基づいて説明する。なお、この留守監視装置１Ａの各部の処理動作は、ＲＯＭ３に格納されている制御プログラムに基づいて制御部２が発行する制御命令に従って行われる。
【００４８】
留守監視装置１Ａが在宅モードから外出モードに設定されると、制御部２は、設定時間帯３１に基づいて監視開始時刻になったか否かを判断する（Ｓ２１）。監視開始時刻になったと判断した場合（Ｓ２１：ＹＥＳ）、電話の着呼を検出したか否かを判断する（Ｓ２２）。電話の着呼を検出しなかったと判断した場合（Ｓ２２：ＮＯ）、設定時間帯３１に基づいて監視終了時刻になったか否かを判断する（Ｓ２３）。監視終了時刻になったと判断した場合（Ｓ２３：ＹＥＳ）、処理を終了し、一方、監視終了時刻になっていないと判断した場合は（Ｓ２３：ＮＯ）、Ｓ２２以降の処理を行う。一方、Ｓ２２において、電話の着呼を検出したと判断した場合は（Ｓ２２：ＹＥＳ）、日数を計数する（Ｓ２４）。
【００４９】
この際、設定時間帯３１に検出した電話の着呼があった日数をすべて計数するか否かは、ユーザにより予め設定されており、設定時間帯３１に検出した電話の着呼があった日数をすべて計数しない場合は、以下の３つの場合のいずれかの場合にその電話の着呼があった日数を計数するように設定される。すなわち、設定時間帯３１に、登録番号情報２４に登録されてない電話番号からの着呼又は発番非通知の着呼のいずれかの着呼があった場合、登録番号情報２４に登録されてない電話番号からの着呼があった場合、又は、発番非通知の着呼があった場合にその電話の着呼があった日数を計数するように設定される。設定時間帯３１に検出した電話の着呼が、このユーザの設定に基く設定時間帯３１に検出した電話の着呼があった日数を計数する条件にあてはまらなかった場合は、日数を計数せずにＳ２３以降の処理をおこなう。
【００５０】
次いで、制御部２は、連続日数３２連続して計数したか否かを判断する（Ｓ２５）。連続日数３２連続して計数したと判断した場合（Ｓ２５：ＹＥＳ）、通報先情報２５に登録されている外部通信端末１４に異常発生を通報する（Ｓ２６）。例えば、連続日数３２が５日と設定されており、Ｓ２４の処理が５日連続して行われた場合に、Ｓ２６の処理を行う。そして、計数した日数をリセットし（Ｓ２７）、処理を終了する。一方、Ｓ２５において、連続日数３２連続して計数していないと判断した場合は（Ｓ２５：ＮＯ）、計数した日数が設定期間３３内に設定日数３４を超えたか否かを判断する（Ｓ２８）。計数した日数が設定期間３３内に設定日数３４を超えたと判断した場合（Ｓ２８：ＹＥＳ）、Ｓ２６以降の処理を行う。例えば、設定期間が７日、設定日数が５日と設定されており、Ｓ２４の処理が７日間に６日行われた場合に、Ｓ２６の処理を行う。一方、計数した日数が設定期間３３内に設定日数３４を超えていないと判断した場合は（Ｓ２８：ＮＯ）、処理を終了する。
【００５１】
以上の説明から明らかなように、本発明の第２実施形態に係る留守監視装置１Ａによれば、外部通信端末１４を所持するユーザは、留守中に不審者が電話をかけることにより家人が不在の時間帯を数日間に渡って確認している可能性があることを異常発生の通報により知ることができる。また、登録されていない電話番号からの着呼や発番非通知の電話の着呼が設定時間帯３２にあった場合にのみ電話の着呼があった日数を計数することができ、電話番号が登録された知人等からの電話の着呼が設定時間帯にあった日数を計数することによる誤通報を防止することができる。
【００５２】
なお、本発明は上記実施形態に限定されるものではなく、本発明の要旨の範囲内で種々の変形実施が可能である。例えば、Ｓ２２において電話の着呼を検出した場合に、検出した電話番号や着呼日時等をＲＡＭ６に記憶するようにして、後から表示部１１で確認できるようにしてもよい。また、この第２実施形態では、留守監視装置１Ａは、在宅モード時は電話機として機能するが、インターホン子機１３を接続してインターホン親機としても機能するようにしてもよい。
【００５３】
次に、本発明の第３実施形態に係る留守監視装置について図面に基づき説明する。本実施形態の留守監視装置１Ｂは、第１実施形態に係る留守監視装置１と同じ構成をしている。したがって、図１は、この第３実施形態に係る留守監視装置１Ｂの構成例を示したブロック図でもあり、留守監視装置１Ｂの構成の説明を省略する。この留守監視装置１Ｂには、設定モードとして在宅モードと外出モードがあり、第１実施形態と同様に、在宅モード時はインターホン親機又は電話機として機能し、外出モード時は家人（ユーザ）の留守中に不審者が家に侵入しようとするのを監視して異常があったと判断した場合にその旨を通報する防犯装置として機能する。
【００５４】
この留守監視装置１Ｂにおいて、外出モードに設定された状態で呼出チャイム１６の操作を検出した場合に行われる処理動作について、図５に示すフローチャートに基づいて説明する。なお、この留守監視装置１Ｂの各部の処理動作は、ＲＯＭ３に格納されている制御プログラムに基づいて制御部２が発行する制御命令に従って行われる。
【００５５】
留守監視装置１Ｂが在宅モードから外出モードに設定されると、制御部２は、呼出チャイム１６の操作の監視を開始し、呼出チャイム１６の操作を検出したか否かを判断する（Ｓ３１）。呼出チャイム１６の操作を検出したと判断した場合（Ｓ３１：ＹＥＳ）、時間の計測を開始し（Ｓ３２）、検出した呼出チャイム１６の操作回数を計数する（Ｓ３３）。そして、操作回数が設定回数２３を超えたか否かを判断する（Ｓ３４）。操作回数が設定回数２３を超えていないと判断した場合（Ｓ３４：ＮＯ）、計測した時間が設定時間２２を超えたか否かを判断する（Ｓ３５）。計測した時間が設定時間２２を超えたと判断した場合（Ｓ３５：ＹＥＳ）、計測した時間をリセットし（Ｓ３６）、処理を終了する。一方、計測した時間が設定時間２２を超えていないと判断した場合は（Ｓ３５：ＮＯ）、呼出チャイム１６の操作を検出したか否かを判断する（Ｓ３７）。呼出チャイム１６の操作を検出したと判断した場合（Ｓ３７：ＹＥＳ）、Ｓ３３以降の処理を行う。一方、呼出チャイム１６の操作を検出しなかったと判断した場合は（Ｓ３７：ＮＯ）、Ｓ３５以降の処理を行う。
【００５６】
Ｓ３４において、制御部２は、操作回数が設定回数２３を超えたと判断した場合は（Ｓ３４：ＹＥＳ）、通報先情報２５に登録されている外部通信端末１４に異常発生を通報するとともに、呼出チャイム１６の操作に連動してＣＣＤカメラ２７が撮影した呼出チャイム１６周辺の画像データを送信する（Ｓ３８）。この際、操作回数分すべての画像データを送信するか、又は、いずれか１回、例えば最後に呼出チャイム１６が操作された際に撮影した画像データのみを送信するかは、ユーザによって予め設定されている。操作回数分すべての画像データを送信する場合で、操作回数が多く一度に全ての画像データを送信できないときは、複数回に分けて画像データを送信する。そして、計測した時間をリセットし（Ｓ３６）、処理を終了する。
【００５７】
以上の説明から明らかなように、本発明の第３実施形態に係る留守監視装置１Ｂによれば、外部通信端末１４を所持するユーザは、留守中に不審者が呼出チャイム１６を操作することにより家人の不在を複数回に渡って確認している可能性があることを異常発生の通報により知ることができ、外部通信端末１４に表示された呼出チャイム１６周辺の画像より呼出チャイム１６を操作した人物や呼出チャイム１６周辺の状況を確認することができる。
【００５８】
なお、本発明は上記実施形態に限定されるものではなく、本発明の要旨の範囲内で種々の変形実施が可能である。例えば、この第３実施形態では、通報先情報２５に登録されている外部通信端末１４に異常発生を通報するとともにＣＣＤカメラ２７が撮影した呼出チャイム１６周辺の画像データを送信したが、外部通信端末１４に画像データを表示する機能がない場合等は、ユーザの設定に基づいて前記画像データを送信せずに外部通信端末１４に異常発生のみを通報してもよい。また、外部通信端末１４に異常発生を電子メールで通報する場合は、通信部５はなくてもよい。ただし、その場合、電話機としての機能は失われる。
【００５９】
次に、本発明の第４実施形態に係る留守監視装置について図面に基づき説明する。図６は、本実施形態に係る留守監視装置１Ｃの構成例を示したブロック図である。この留守監視装置１Ｃには、設定モードとして在宅モードと外出モードがあり、第１及び第３実施形態と同様に、在宅モード時はインターホン親機又は電話機として機能し、外出モード時は家人（ユーザ）の留守中に不審者が家に侵入しようとするのを監視して異常があったと判断した場合にその旨を通報する防犯装置として機能する。なお、図１に示した第１実施形態に係る留守監視装置１と同一の構成のものには、同一番号を付けてその説明を省略し、主に相違点について以下で説明する。
【００６０】
本実施形態の留守監視装置１Ｃは、図６に示すように、図１に示す第１実施形態の留守監視装置１と比較すると、玄関扉センサ３５を備えており、この玄関扉センサ３５は、バス１２によって接続されている。この玄関扉センサ３５は、留守監視装置１Ｃが外出モードに設定されている際に、玄関扉が開いたことを検知する検知手段として機能する。また、第１実施形態ではＲＡＭ６に格納されている設定回数２３は、格納されていない。
【００６１】
また、ＬＡＮ２６に設置されているＣＣＤカメラ２７は、第１実施形態では、呼出チャイム１６周辺を撮影できる位置に設置され、呼出チャイム１６の操作に連動して呼出チャイム１６周辺の画像データを撮影したが、本実施形態では、呼出チャイム１６周辺及び玄関扉周辺を撮影できる位置に設置され、呼出チャイム１６の操作に連動して呼出チャイム１６周辺の画像データを撮影し、玄関扉センサ３５が玄関扉が開いたことを検知した際に玄関扉周辺の画像データを撮影する。なお、本実施形態では、ＣＣＤカメラ２７で呼出チャイム１６周辺及び玄関扉周辺を撮影する構成としたが、例えば、インターホン子機１３が門扉付近に設置してあり、インターホン子機１３が玄関扉と離れている場合等は、呼出チャイム１６周辺を撮影するＣＣＤカメラと、玄関扉周辺を撮影するＣＣＤカメラとをそれぞれ設けるようにしてもよい。
【００６２】
以上のように構成された留守監視装置１Ｃにおいて、外出モードに設定された状態で呼出チャイム１６の操作を検出した場合に行われる処理動作について、図７に示すフローチャートに基づいて説明する。なお、この留守監視装置１Ｃの各部の処理動作は、ＲＯＭ３に格納されている制御プログラムに基づいて制御部２が発行する制御命令に従って行われる。
【００６３】
留守監視装置１Ｃが在宅モードから外出モードに設定されると、制御部２は、呼出チャイム１６の操作の監視を開始し、呼出チャイム１６の操作を検出したか否かを判断する（Ｓ４１）。呼出チャイム１６の操作を検出したと判断した場合（Ｓ４１：ＹＥＳ）、時間の計測を開始し（Ｓ４２）、玄関扉センサ３５が玄関扉が開いたことを検知したか否かを判断する（Ｓ４３）。玄関扉が開いたことを検知していないと判断した場合（Ｓ４３：ＮＯ）、計測した時間が設定時間２２を超えたか否かを判断する（Ｓ４４）。計測した時間が設定時間２２を超えたと判断した場合（Ｓ４４：ＹＥＳ）、計測した時間をリセットし（Ｓ４５）、処理を終了する。一方、計測した時間が設定時間２２を超えていないと判断した場合は（Ｓ４４：ＮＯ）、Ｓ４３以降の処理を行う。
【００６４】
Ｓ４３において、制御部２は、玄関扉が開いたことを検知した場合は（Ｓ４３：ＹＥＳ）、通報先情報２５に登録されている外部通信端末１４に異常発生を通報するとともに、ＣＣＤカメラ２７が呼出チャイム１６の操作に連動して撮影した呼出チャイム１６周辺の画像データと、玄関扉センサ３５が玄関扉が開いたことを検知した際に撮影した玄関扉周辺の画像データを送信する（Ｓ４６）。そして、計測した時間をリセットし（Ｓ４５）、処理を終了する。
【００６５】
以上の説明から明らかなように、本発明の第４実施形態に係る留守監視装置１Ｃによれば、外部通信端末１４を所持するユーザは、通常家人が呼出チャイム１６を操作した後に玄関扉を開けることはないので、留守中に家人以外の不審者が呼出チャイム１６の操作により家人の不在を確認した後に玄関扉を開けたことを異常発生の通報により知ることができ、外部通信端末１４に表示された呼出チャイム１６周辺及び玄関先周辺の画像より呼出チャイム１６を操作した人物や呼出チャイム１６周辺の状況、及び、玄関扉を開いた人物や玄関扉周辺の状況を確認することができる。
【００６６】
なお、本発明は上記実施形態に限定されるものではなく、本発明の要旨の範囲内で種々の変形実施が可能である。例えば、この第４実施形態では、Ｓ４６において、外部通信端末１４に異常発生を通報するとともに、ＣＣＤカメラ２７が呼出チャイム１６の操作に連動して撮影した呼出チャイム１６周辺の画像データと、玄関扉センサ３５が玄関扉が開いたことを検知した際に撮影した玄関扉周辺の画像データを送信したが、呼出チャイム１６周辺の画像データは送信せずに玄関扉周辺の画像データのみを送信してもよい。また、外部通信端末１４に画像データを表示する機能がない場合等は、ユーザの設定に基づいて呼出チャイム１６周辺や玄関扉周辺の画像データを送信せずに外部通信端末１４に異常発生のみを通報してもよい。
【００６７】
また、外部通信端末１４に異常発生を電子メールで通報する場合は、通信部５はなくてもよい。ただし、その場合、電話機としての機能は失われる。また、窓が開いたことを検知する窓センサを備えて、呼出チャイム１６の操作を検出してから設定時間２２内に窓が開いたことを窓センサが検知した場合に外部通信端末１４に異常発生を通報するようにしてもよい。
【００６８】
次に、本発明の第５実施形態に係る留守監視装置について図面に基づき説明する。図８は、本実施形態に係る留守監視装置１Ｄの構成例を示したブロック図である。この留守監視装置１Ｄには、設定モードとして在宅モードと外出モードがあり、第２実施形態と同様に、在宅モード時は電話機として機能し、外出モード時は家人（ユーザ）の留守中に不審者が家に侵入しようとするのを監視して異常があったと判断した場合にその旨を通報する防犯装置として機能する。なお、図１に示した第１実施形態に係る留守監視装置１や図６に示す第４実施形態に係る留守監視装置１Ｃと同一の構成のものには、同一番号を付けてその説明を省略し、主に相違点について以下で説明する。
【００６９】
本実施形態の留守監視装置１Ｄは、図８に示すように、図１に示す第１実施形態の留守監視装置１と比較すると、図６に示す第４実施形態に係る留守監視装置１Ｃと同様に、玄関扉センサ３５を備えており、玄関扉センサ３５は、バス１２に接続されている。また、インターホンＩ／Ｆ４がなく、インターホン子機１３が接続されていない。また、第１実施形態ではＲＡＭ６に格納されている設定回数２３は、格納されていない。
【００７０】
また、ＬＡＮ２６に設置されているＣＣＤカメラ２７は、第１実施形態では、呼出チャイム１６周辺を撮影できる位置に設置され、呼出チャイム１６の操作に連動して呼出チャイム１６周辺の画像データを撮影したが、本実施形態では、玄関扉周辺を撮影できる位置に設置され、玄関扉センサ３５が玄関扉が開いたことを検知した際に前記玄関扉周辺の画像データを撮影する。
【００７１】
以上のように構成された留守監視装置１Ｄにおいて、外出モードに設定された状態で電話の着呼を検出した場合に行われる処理動作は、第４実施形態の留守監視装置１Ｃにおいて外出モードに設定された状態で呼出チャイム１６の操作を検出した場合に行われる処理動作における、制御部２の呼出チャイム１６の操作を検出したか否かの判断（図７のＳ４１）を、電話の着呼を検出したか否かの判断としたものであり、また、通報先情報２５に登録されている外部通信端末１４に異常発生を通報するとともに、ＣＣＤカメラ２７が呼出チャイム１６の操作に連動して撮影した呼出チャイム１６周辺の画像データと、玄関扉センサ３５が玄関扉が開いたことを検知した際に撮影した玄関扉周辺の画像データを送信する（図７のＳ４６）のを、玄関扉センサ３５が玄関扉が開いたことを検知した際に撮影した玄関扉周辺の画像データのみを送信するものである。なお、この留守監視装置１Ｄの各部の処理動作は、ＲＯＭ３に格納されている制御プログラムに基づいて制御部２が発行する制御命令に従って行われる。
【００７２】
以上の説明から明らかなように、本発明の実施形態の第５実施例に係る留守監視装置１Ｄによれば、外部通信端末１４を所持するユーザは、留守中に不審者が電話をかけることにより家人の不在を確認した後に玄関扉を開けたことを異常発生の通報により知ることができ、外部通信端末１４に表示された玄関先周辺の画像より玄関扉を開いた人物や玄関扉周辺の状況を確認することができる。
【００７３】
なお、本発明は上記実施形態に限定されるものではなく、本発明の要旨の範囲内で種々の変形実施が可能である。例えば、この第５実施形態では、通報先情報２５に登録されている外部通信端末１４に異常発生を通報するとともにＣＣＤカメラ２７が撮影した玄関扉周辺の画像データを送信したが、外部通信端末１４に画像データを表示する機能がない場合等は、ユーザの設定に基づいて前記画像データを送信せずに外部通信端末１４に異常発生を通報するのみとしてもよい。また、在宅モード時は電話機として機能するが、インターホン子機１３を接続してインターホン親機としても機能するようにしてもよい。また、窓が開いたことを検知する窓センサを備えて、電話の着呼を検出してから設定時間２２内に窓が開いたことを窓センサが検知した場合に外部通信端末１４に異常発生を通報するようにしてもよい。
【図面の簡単な説明】
【００７４】
【図１】本発明の第１及び第３実施形態に係る留守監視装置の構成例を示したブロック図である。
【図２】外出モードに設定された状態で呼出チャイムの操作又は電話の着呼を検出した場合に、第１実施形態に係る留守監視装置において行われる処理動作を示すフローチャートである。
【図３】本発明の第２実施形態に係る留守監視装置の構成例を示したブロック図である。
【図４】外出モードに設定された状態で所定時間帯に、第２実施形態に係る留守監視装置において行われる処理動作を示すフローチャートである。
【図５】外出モードに設定された状態で呼出チャイムの操作を検出した場合に、第３実施形態に係る留守監視装置において行われる処理動作を示すフローチャートである。
【図６】本発明の第４実施形態に係る留守監視装置の構成例を示したブロック図である。
【図７】外出モードに設定された状態で呼出チャイムの操作を検出した場合に、第４実施形態に係る留守監視装置において行われる処理動作を示すフローチャートである。
【図８】本発明の第５実施形態に係る留守監視装置の構成例を示したブロック図である。
【符号の説明】
【００７５】
１    留守監視装置
２    制御部
５    通信部
６    ＲＡＭ
１０    操作部
１４    外部通信端末
１６    呼出チャイム
２２    設定時間
２３    設定回数
２４    登録番号情報
２７    ＣＣＤカメラ
３１    設定時間帯
３２    連続日数
３３    設定期間
３４    設定日数
３５    玄関扉センサ
【図１】
2006025185.tif 000003
【図２】
2006025185.tif 000004
【図３】
2006025185.tif 000005
【図４】
2006025185.tif 000006
【図５】
2006025185.tif 000007
【図６】
2006025185.tif 000008
【図７】
2006025185.tif 000009
【図８】
2006025185.tif 000010